(57)【要約】【課題】制御信号を出力する光量制御部と光源を駆動する光源駆動回路との間の伝送路の長さに起因する前記制御信号の信号レベルの低下を抑えることが可能な光走査装置及び画像形成装置を提供すること。【解決手段】光走査装置３１３は、画像データに基づいて光量制御信号ＣＳを生成する光量制御部６５と、光量制御部６５により生成される光量制御信号ＣＳを出力する出力処理部６５１と、出力処理部６５１から出力される光量制御信号ＣＳを受信し、受信した光量制御信号ＣＳに応じた駆動電流を生成する光源駆動部６２と、光源駆動部６２により生成される駆動電流に応じて光を発する光源６１と、光源駆動部６２が光量制御信号ＣＳを受信したときの光量制御信号ＣＳの信号レベルを検出し、検出した信号レベルに対応するフィードバック信号ＦＢを光量制御部６５に出力するフィードバック制御部６３と、を備える。【選択図】図３
2019139171.tif 000002
【特許請求の範囲】
【請求項１】
画像データに基づいて光量制御信号を生成する光量制御部と、
前記光量制御部により生成される前記光量制御信号を出力する出力処理部と、
前記出力処理部から出力される前記光量制御信号を受信し、受信した前記光量制御信号に応じた駆動電流を生成する光源駆動部と、
前記光源駆動部により生成される前記駆動電流に応じて光を発する光源と、
前記光源駆動部が前記光量制御信号を受信したときの前記光量制御信号の信号レベルを検出し、前記検出した信号レベルに対応する情報を前記光量制御部に出力するフィードバック制御部と、
を備える光走査装置。
【請求項２】
前記フィードバック制御部から出力される前記情報に含まれる、前記光源駆動部が前記光量制御信号を受信したときの前記光量制御信号の受信信号レベルに基づいて、前記画像データに対応する前記光量制御信号を補正する補正処理部をさらに備え、
前記補正処理部は、前記出力処理部が前記光量制御信号を出力するときの前記光量制御信号の出力信号レベルと、前記受信信号レベルとの差を、前記画像データに対応する前記光量制御信号の入力信号レベルに加算することにより、前記画像データに対応する前記光量制御信号を補正する、
請求項１に記載の光走査装置。
【請求項３】
前記出力処理部は、前記補正処理部により補正される前記光量制御信号を前記光源駆動部に出力する、
請求項２に記載の光走査装置。
【請求項４】
前記フィードバック制御部は、前記光源駆動部が前記光量制御信号を受信したときの前記光量制御信号のアナログ電圧を検出し、前記検出したアナログ電圧をデジタル変換したデジタル信号を前記光量制御部に出力する、
請求項１から請求項３のいずれか１項に記載の光走査装置。
【請求項５】
前記補正処理部は、前記光量制御部と前記光源駆動部とを接続する伝送路の長さに応じて電圧が降下する場合における降下分に相当する電圧値を、前記画像データに対応する前記光量制御信号の電圧値に加算する、
請求項２又は請求項３に記載の光走査装置。
【請求項６】
前記光量制御部と前記光源駆動部とを接続する伝送路の長さに応じて電圧が降下する場合における降下分に相当する電圧値と、前記光源から発せられる光を検知して取得される光量とに基づいて、前記画像データに対応する前記光量制御信号を補正する補正処理部をさらに備える、
請求項１に記載の光走査装置。
【請求項７】
請求項１から請求項６のいずれか１項に記載の光走査装置と、
前記光走査装置からの光が照射される像担持体と、
前記像担持体にトナー像を形成する現像部と、
前記像担持体に形成されたトナー像をシートに転写する転写部と、
を備える画像形成装置。
【発明の詳細な説明】
【技術分野】
【０００１】
本発明は、レーザーダイオード等の光源の光を画像データに応じて感光体ドラム等に照射する光走査装置、及び、当該光走査装置を備える画像形成装置に関する。
【背景技術】
【０００２】
プリンター、コピー機、ファクシミリなどの電子写真方式の画像形成装置では、一般に、レーザーダイオードの光を利用して画像が形成される。
【０００３】
前記画像形成装置において、光源（レーザー光源）を駆動する光源駆動回路と、画像データに応じた制御信号（光量制御信号）を当該光源駆動回路に出力する光量制御部とは、伝送線を介して互いに接続されている（例えば、特許文献１参照）。
【先行技術文献】
【特許文献】
【０００４】
【特許文献１】特開２０１２−４５９４１号公報
【発明の概要】
【発明が解決しようとする課題】
【０００５】
前記画像形成装置の構造では、例えば、前記画像形成装置のサイズの増大化、前記画像形成装置の内部構造の複雑化などにより、前記伝送線（伝送路）の長さが長くなる場合がある。前記伝送線が長くなると、前記伝送線の抵抗（配線抵抗）が増大し電圧降下が生じる。これにより、前記制御信号の信号レベルが低下し、光源から発せられる光の光量が低下する。その結果、前記画像形成装置において形成される画像の品位が低下してしまう。
【０００６】
本発明の目的は、制御信号を出力する光量制御部と光源を駆動する光源駆動回路との間の伝送路の長さに起因する前記制御信号の信号レベルの低下を抑えることが可能な光走査装置及び画像形成装置を提供することにある。
【課題を解決するための手段】
【０００７】
本発明の一の局面に係る光走査装置は、光量制御部と、出力処理部と、光源駆動部と、光源と、フィードバック制御部とを備える。前記光量制御部は、画像データに基づいて光量制御信号を生成する。前記出力処理部は、前記光量制御部により生成される前記光量制御信号を出力する。前記光源駆動部は、前記出力処理部から出力される前記光量制御信号を受信し、受信した前記光量制御信号に応じた駆動電流を生成する。前記光源は、前記光源駆動部により生成される前記駆動電流に応じて光を発する。前記フィードバック制御部は、前記光源駆動部が前記光量制御信号を受信したときの前記光量制御信号の信号レベルを検出し、前記検出した信号レベルに対応する情報を前記光量制御部に出力する。
【０００８】
本発明の他の局面に係る画像形成装置は、前記光走査装置と、前記光走査装置からの光が照射される像担持体と、前記像担持体にトナー像を形成する現像部と、前記像担持体に形成されたトナー像をシートに転写する転写部と、を備える。
【発明の効果】
【０００９】
本発明によれば、制御信号を出力する光量制御部と光源を駆動する光源駆動回路との間の伝送路の長さに起因する前記制御信号の信号レベルの低下を抑えることが可能な光走査装置及び画像形成装置を提供することができる。
【図面の簡単な説明】
【００１０】
【図１】図１は、本発明の実施形態に係る画像形成装置の構成を示す断面模式図である。
【図２】図２は、本発明の実施形態に係る画像形成装置のシステム構成を示すブロック図である。
【図３】図３は、本発明の実施形態に係る光走査装置の構成を示すブロック図である。
【図４】図４は、本発明の実施形態に係る画像形成装置で実行される光量制御信号補正処理の手順の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定する性格のものではない。
【００１２】
まず、図１及び図２を参照しつつ、本発明の実施形態に係る画像形成装置１０の概略構成について説明する。ここで、図１は画像形成装置１０の構成を示す断面模式図である。
【００１３】
図１及び図２に示すように、画像形成装置１０は、ＡＤＦ１、画像読取部２、画像形成部３、給紙部４、制御部５、操作表示部６、及び通信部７を備える。画像形成装置１０は、画像データに基づいて画像を形成するプリンター機能と共に、スキャン機能、ファクシミリ機能、又はコピー機能などの複数の機能を有する複合機である。また、本発明は、プリンター装置、ファクシミリ装置、及びコピー機などの画像形成装置に適用可能である。なお、画像形成装置１０は、モノクロ対応の画像形成装置であるが、カラー対応の画像形成装置であってもよい。
【００１４】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、前記原稿台に載置された原稿又はＡＤＦ１によって搬送される原稿から画像データを読み取る画像読取処理を実行することが可能である。
【００１５】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、制御部５は、前記ＲＯＭに予め記憶された各種の制御プログラムを、前記ＣＰＵを用いて実行することにより画像形成装置１０を統括的に制御する。なお、制御部５は、集積回路（ＡＳＩＣ）などの電子回路で構成されたものであってもよく、画像形成装置１０を統括的に制御するメイン制御部とは別に設けられた制御部であってもよい。
【００１６】
操作表示部６は、制御部５からの制御指示に応じて各種の情報を表示する液晶ディスプレーなどの表示部と、ユーザーの操作に応じて制御部５に各種の情報を入力する操作キー又はタッチパネルなどの操作部とを有する。
【００１７】
通信部７は、外部の情報処理装置などの通信装置との間で、インターネット又はＬＡＮ等の通信ネットワークを介して有線又は無線によるデータ通信を実行する。
【００１８】
画像形成部３は、画像読取部２で読み取られた画像データ、又は、外部のパーソナルコンピューター等の情報処理装置から入力された画像データに基づいて、電子写真方式で画像を形成する画像形成処理（印刷処理）を実行可能である。
【００１９】
具体的に、画像形成部３は、図１に示すように、画像形成ユニット３１、定着装置３２、及び排紙トレイ３３を備える。
【００２０】
画像形成ユニット３１は、感光体ドラム３１１（像担持体）、帯電装置３１２、光走査装置３１３、現像器３１４（現像部）、転写ローラー３１５（転写部）、及びクリーニング装置３１６を備える。
【００２１】
感光体ドラム３１１は、トナー像を担持する。帯電装置３１２は、感光体ドラム３１１の表面を所定の電位に帯電させる。
【００２２】
光走査装置３１３は、光走査装置３１３に入力される画像データ（入力画像データ）に基づく光を、感光体ドラム３１１の表面に照射して、感光体ドラム３１１上に前記画像データに対応する静電潜像を形成する。光走査装置３１３の詳細については後述する。
【００２３】
現像器３１４は、トナーを収容し、トナーを用いて感光体ドラム３１１上に形成された静電潜像を現像する。転写ローラー３１５は、感光体ドラム３１１に形成されたトナー像を給紙部４から供給されるシートに転写する。クリーニング装置３１６は、感光体ドラム３１１の表面に残存したトナーを除去する。
【００２４】
定着装置３２は、加熱ローラー及び加圧ローラーを備え、画像形成ユニット３１によりシート上に形成されたトナー像を前記シートに溶融定着させる。
【００２５】
給紙部４は、給紙カセット及び複数の搬送ローラーを備え、前記給紙カセットに収容されるシートを画像形成ユニット３１によるトナー像の転写位置、及び定着装置３２による定着位置を経由して排紙トレイ３３まで搬送する。なお、前記シートは、紙、コート紙、ハガキ、封筒、及びＯＨＰシートなどのシート材料である。
【００２６】
次に、図３を参照しつつ、光走査装置３１３の構成について説明する。
【００２７】
図３に示すように、光走査装置３１３は、光源６１、光源駆動部６２、フィードバック制御部６３、同期制御部６４、及び光量制御部６５を備える。
【００２８】
光量制御部６５は、光走査装置３１３に入力される画像データ（入力画像データ）に基づいて、光走査装置３１３による感光体ドラム３１１周面への静電潜像の形成動作を制御する。具体的に、光量制御部６５は、前記入力画像データに基づいてアナログ電圧の光量制御信号ＣＳを生成し、生成した光量制御信号ＣＳを光源駆動部６２に出力する。
【００２９】
光源駆動部６２は、光量制御部６５から出力された光量制御信号ＣＳを受信し、受信した光量制御信号ＣＳに応じた駆動電流（駆動信号ＤＳ）を生成する。光源駆動部６２は、生成した駆動電流を光源６１に供給する。具体的には例えば、光源駆動部６２は、光量制御信号ＣＳに応じた変調電流をバイアス電流に重畳して駆動電流を生成する。変調電流は、例えば、光量制御信号ＣＳによるパルス幅変調（ＰＷＭ）によって生成される。この場合、前記駆動電流は、光量制御信号ＣＳに応じてローレベル（前記バイアス電流のみ）とハイレベルを交互に繰り返す電流となる。なお、この種の駆動装置は一般に知られているため、ここでは、光源駆動部６２の詳細な構成については説明を省略する。
【００３０】
光源６１は、例えばレーザーダイオードであり、光源駆動部６２から供給される駆動電流（駆動信号ＤＳ）に応じて光（レーザー光）を発する。光源６１から発せられた光は、不図示の反射ミラー、レンズ、ポリゴンミラー等の光学機器により、所定の主走査方向に走査されながら感光体ドラム３１１に導かれる。
【００３１】
同期制御部６４は、不図示のＢＤセンサーを含む。ＢＤセンサーは、一の主走査ラインについて感光体ドラム３１１の周面に光の照射を開始させるタイミングである書き出しタイミングを決定するために、有効走査領域の範囲外の光を検出する。ＢＤセンサーは、入射された光を検出電圧（光量に対応する検出値）に変換し、前記検出電圧が所定の閾値電圧を超過したときに同期信号ＳＳを出力する。具体的には、ＢＤセンサーは、前記閾値電圧を超過する光を検知していないときはハイレベルの信号（同期信号ＳＳ）を光量制御部６５に出力し、前記閾値電圧を超過する光を検知している間はローレベルの信号（同期信号ＳＳ）を光量制御部６５に出力する。
【００３２】
ところで、画像形成装置１０では、内部構造の複雑化などにより、光量制御部６５と光源駆動部６２とを接続する伝送路１００（配線）の長さＬ（図３参照）が長くなる場合がある。前記伝送路１００が長くなると、前記伝送路１００の抵抗（配線抵抗）が増大し、光源駆動部６２が光量制御信号ＣＳを受信したときの光量制御信号ＣＳの信号レベル（電圧レベル）が、光量制御部６５が光量制御信号ＣＳを出力したときの光量制御信号ＣＳの信号レベル（電圧レベル）より低くなる（電圧降下）。これにより、光源駆動部６２から出力される前記駆動電流（駆動信号ＤＳ）の信号レベルが本来の信号レベル（入力画像データに対応する信号レベル）より低くなり、光源６１から発せられる光の光量が本来の光量（入力画像データに対応する光量）より低くなるという問題がある。これに対して、光走査装置３１３は、以下に説明するように、伝送路１００の長さに起因する光量制御信号ＣＳの信号レベルの低下を抑えることが可能な構成を有する。
【００３３】
光量制御部６５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、光量制御部６５は、前記ＲＯＭに予め記憶された光量制御信号補正プログラムを、前記ＣＰＵを用いて実行することにより、光源駆動部６２に入力される光量制御信号ＣＳの信号レベルを制御（補正）する。なお、光量制御部６５は、集積回路（ＡＳＩＣ）などの電子回路で構成されたものであってもよく、画像形成装置１０を統括的に制御する制御部５（図２参照）の一部であってもよい。
【００３４】
具体的に、光量制御部６５は、出力処理部６５１、比較処理部６５２、補正処理部６５３、及び記憶部６５４を含む。なお、光量制御部６５は、フィードバック制御部６３を含んでもよい。光量制御部６５は、光走査装置３１３に入力された画像データ（入力画像データ）に基づいてアナログ電圧の光量制御信号ＣＳを生成する。
【００３５】
出力処理部６５１は、前記光量制御信号ＣＳを光源駆動部６２に出力する。また、出力処理部６５１は、同期制御部６４のＢＤセンサーから出力される同期信号ＳＳに基づいて定められるタイミングに応じて光量制御信号ＣＳを出力する。このように、出力処理部６５１は、同期信号ＳＳに基づいて、光による感光体ドラム３１１の周面への走査ラインの書き込みタイミングを制御する。
【００３６】
フィードバック制御部６３は、光源駆動部６２が受信したときの光量制御信号ＣＳの信号レベル（アナログ電圧）を検出する。なお、フィードバック制御部６３は、光源駆動部６２を受信する直前の光量制御信号ＣＳの信号レベル（アナログ電圧）を検出してもよい。またフィードバック制御部６３は、ＡＤ変換部を含み、検出したアナログ電圧をデジタル信号に変換し、変換したデジタル信号をフィードバック信号ＦＢとして光量制御部６５に出力する。
【００３７】
比較処理部６５２は、出力処理部６５１が光量制御信号ＣＳを出力するときの光量制御信号ＣＳの信号レベル（出力信号レベルＬＶ１）と、フィードバック制御部６３から受信したフィードバック信号ＦＢに対応する光量制御信号ＣＳの信号レベル（受信信号レベルＬＶ２）とを比較する。すなわち、比較処理部６５２は、出力処理部６５１が光量制御信号ＣＳを出力するときの光量制御信号ＣＳの信号レベル（出力信号レベルＬＶ１）と、光源駆動部６２が光量制御信号ＣＳを受信したときの光量制御信号ＣＳの信号レベル（受信信号レベルＬＶ２）とを比較する。また比較処理部６５２は、前記出力信号レベルＬＶ１と前記受信信号レベルＬＶ２との差（レベル差ΔＬＶ）を算出する。
【００３８】
また、比較処理部６５２は、算出した前記レベル差ΔＬＶ（補正値）を記憶部６５４に記憶する。
【００３９】
補正処理部６５３は、比較処理部６５２により算出された前記レベル差ΔＬＶ（補正値）を記憶部６５４から読み出して、光走査装置３１３に入力された画像データ（入力画像データ）に対応する光量制御信号ＣＳの信号レベル（入力信号レベルＬＶ０）に加算する。
【００４０】
出力処理部６５１は、補正処理部６５３により光量制御信号ＣＳの信号レベルが補正された場合は、補正された光量制御信号ＣＳを、同期信号ＳＳに基づいて定められるタイミングに応じて、光源駆動部６２に出力する。例えば、前記補正された光量制御信号ＣＳの信号レベル（出力信号レベルＬＶ１）は、「ＬＶ０＋ＬＶ２」となる。
【００４１】
以下、図４を参照しつつ、光量制御部６５及びフィードバック制御部６３において実行される光量制御信号補正処理の手順の一例について説明する。ここで、ステップＳ１、Ｓ２などは、光量制御部６５及びフィードバック制御部６３により実行される処理手順（ステップ）の番号を表している。また、ここでは、連続する第ｎ走査ライン及び第（ｎ＋１）走査ラインにおける光の照射処理を例に挙げる。
【００４２】
＜ステップＳ１＞
まず、ステップＳ１において、光量制御部６５は、光走査装置３１３に入力された第ｎ走査ラインの画像データ（入力画像データＤｎ）に基づいてアナログ電圧の光量制御信号ＣＳを生成する。ここでは例えば、前記入力画像データに対応する光量制御信号ＣＳの信号レベル（入力信号レベルＬＶ０）を「１．０Ｖ」とする。
【００４３】
＜ステップＳ２＞
ステップＳ２において、出力処理部６５１は、前記生成された光量制御信号ＣＳに基づいて、所定の出力信号レベルＬＶ１を有する光量制御信号ＣＳを光源駆動部６２に出力する。ここでは、出力処理部６５１は、入力信号レベルＬＶ０と同一の信号レベル（出力信号レベルＬＶ１：「１．０Ｖ」）の光量制御信号ＣＳを光源駆動部６２に出力する。
【００４４】
＜ステップＳ３＞
ステップＳ３において、光源駆動部６２は、光量制御部６５から出力された光量制御信号ＣＳを受信する。光源駆動部６２は、受信した光量制御信号ＣＳに応じた駆動電流（駆動信号ＤＳ）を生成し、生成した駆動電流を光源６１に供給する。
【００４５】
＜ステップＳ４＞
ステップＳ４において、フィードバック制御部６３は、光源駆動部６２が受信したときの光量制御信号ＣＳの信号レベル（受信信号レベルＬＶ２）を検出する。ここでは例えば、伝送路１００の配線抵抗により「０．１Ｖ」の電圧降下が生じると仮定する。この場合、フィードバック制御部６３は、受信信号レベルＬＶ２として「０．９Ｖ」を検出する。
【００４６】
＜ステップＳ５＞
ステップＳ５において、フィードバック制御部６３は、検出した受信信号レベルＬＶ２（「０．９Ｖ」）をデジタル信号に変換し、変換したデジタル信号をフィードバック信号ＦＢ（情報）として光量制御部６５に出力（フィードバック）する。例えば、フィードバック制御部６３は、受信信号レベルＬＶ２（「０．９Ｖ」）を、２進数の「０１１１００１１１」のデジタル信号（デジタルデータ）に変換して光量制御部６５に出力する。
【００４７】
＜ステップＳ６＞
ステップＳ６において、比較処理部６５２は、フィードバック制御部６３から出力されたフィードバック信号ＦＢ（デジタル信号：「０１１１００１１１」）を受信する。
【００４８】
＜ステップＳ７＞
ステップＳ７において、比較処理部６５２は、出力処理部６５１が光量制御信号ＣＳを出力するときの光量制御信号ＣＳの信号レベル（出力信号レベルＬＶ１）と、フィードバック制御部６３から受信したフィードバック信号ＦＢに対応する光量制御信号ＣＳの信号レベル（受信信号レベルＬＶ２）とを比較する。
【００４９】
例えば、先ず、比較処理部６５２は、出力信号レベルＬＶ１（「１．０Ｖ」）を１６進数に変換して、「８０」を算出する。次に、比較処理部６５２は、受信信号レベルＬＶ２のデジタル信号「０１１１００１１１」を１６進数に変換して、「７３」を算出する。比較処理部６５２は、それぞれの算出値を比較して前記レベル差ΔＬＶ（補正値）を算出する。ここでは、比較処理部６５２は、１６進数の「８Ｃ」の差に相当する「０．１Ｖ」を、前記レベル差ΔＬＶ（補正値）として算出する。比較処理部６５２は、算出した前記レベル差ΔＬＶ（補正値）を記憶部６５４に記憶する。
【００５０】
＜ステップＳ８＞
ステップＳ８において、補正処理部６５３は、比較処理部６５２により算出された前記レベル差ΔＬＶ（補正値）を記憶部６５４から読み出して、前記入力画像データに対応する光量制御信号ＣＳの信号レベル（入力信号レベルＬＶ０）に加算する。例えば、補正処理部６５３は、前記レベル差ΔＬＶ「０．１Ｖ」を、次走査ラインの第（ｎ＋１）走査ラインの画像データ前記（入力画像データＤ（ｎ＋１））に対応する光量制御信号ＣＳの信号レベル（入力信号レベルＬＶ０）に加算する。例えば、前記入力画像データＤ（ｎ＋１））に対応する光量制御信号ＣＳの信号レベル（入力信号レベルＬＶ０）が「１．０Ｖ」の場合、光量制御信号ＣＳの信号レベルは「１．１Ｖ」に補正される。出力処理部６５１は、第（ｎ＋１）走査ラインに対応する光量制御信号ＣＳとして、「１．１Ｖ」の出力信号レベルＬＶ１を有する光量制御信号ＣＳを光源駆動部６２に出力する。
【００５１】
ここでは、第ｎ走査ラインの入力画像データの光量制御信号ＣＳの信号レベル（入力信号レベルＬＶ０）と、第（ｎ＋１）走査ラインの入力画像データの光量制御信号ＣＳの信号レベル（入力信号レベルＬＶ０）とが、同一（「１．０Ｖ」）の場合を示している。このため、第（ｎ＋１）走査ラインについても、光源駆動部６２に、入力画像データに対応する本来の信号レベル（「１．０Ｖ」）の光量制御信号ＣＳが入力される。
【００５２】
これに対して、例えば、第（ｎ＋２）走査ラインの入力画像データの光量制御信号ＣＳの信号レベル（入力信号レベルＬＶ０）が（「１．２Ｖ」）の場合は、前記入力信号レベルＬＶ０に「０．１Ｖ」が加算され、出力処理部６５１は、信号レベル（出力信号レベルＬＶ１）が「１．３Ｖ」の光量制御信号ＣＳを光源駆動部６２に出力する。そして、「０．１Ｖ」の電圧降下により、光源駆動部６２に、入力画像データに対応する本来の信号レベル（「１．２Ｖ」）の光量制御信号ＣＳが入力される。以降の走査ラインについては、上述の処理が繰り返される。なお、補正処理部６５３は、記憶部６５４に記憶された前記レベル差ΔＬＶ（補正値）を取得して、上述の補正処理を行う。なお、上述の補正処理は、一走査ラインごとに実行してもよいし、複数走査ラインごと又は所定の周期で実行してもよい。
【００５３】
以上のように、補正処理部６５３は、伝送路１００の長さに応じて電圧が降下する場合における降下分に相当する電圧値を、入力画像データに対応する光量制御信号ＣＳの電圧値に加算する。このため、本実施形態に係る光走査装置３１３によれば、伝送路１００が長くなっても、光源駆動部６２に入力される光量制御信号ＣＳの信号レベル（電圧レベル）を適切な信号レベルに設定することができる。また、伝送路１００の長さに応じて電圧が降下する場合における降下分に相当する電圧値（電圧降下値）が変動する場合であっても、前記電圧降下値に応じた補正（電圧降下値の加算）を行うことができるため、前記信号レベルを適切な値（電圧値）に維持することができる。
【００５４】
また従来では、伝送路の抵抗により電圧降下が生じた場合に、光量の補正を行う方法が採用されていた。しかし、この方法の場合、デバイス保護の観点から、光量を補正する際に一定倍率以上の補正を行わないようにしている。この点、本実施形態に係る光走査装置３１３によれば、光量の補正を行う必要がないため、伝送路１００及び電気部品などによるばらつきを抑えることができる。
【００５５】
また、従来、アナログ電圧生成回路において、抵抗及びコンデンサでフィルタ回路を構成する際に、生成するアナログ電圧の精度を高めるために、ばらつきの少ない部品を選定していた。これに対して、本実施形態に係る光走査装置３１３によれば、フィルタ回路の部品のばらつきによる電圧差も補正することができるため、部品選定によるコストを削減することもできる。
【００５６】
［変形例］
同期制御部６４は、図３に示すように、ＢＤセンサーにより変換された検出電圧ＤＶ（光量に対応する検出値）をフィードバック制御部６３に出力してもよい。フィードバック制御部６３は、前記検出電圧ＤＶをデジタル信号に変換し、変換したデジタル信号をフィードバック信号ＦＢに含めて光量制御部６５に出力する。
【００５７】
比較処理部６５２は、前記入力画像データに対応する基準電圧と、前記検出電圧ＤＶを比較する。すなわち、比較処理部６５２は、前記入力画像データに対応する本来の光の光量ＬＢ０と、光源６１から発せられた光の光量ＬＢ１とを比較する。比較処理部６５２は、前記光量ＬＢ０と前記光量ＬＢ１との差（光量差ΔＬＢ）を算出する。
【００５８】
補正処理部６５３は、比較処理部６５２により算出された前記レベル差ΔＬＶと前記光量差ΔＬＢとに基づいて、光走査装置３１３に入力された画像データ（入力画像データ）に対応する光量制御信号ＣＳの信号レベル（入力信号レベルＬＶ０）を補正する。例えば、補正処理部６５３は、前記レベル差ΔＬＶを、前記入力画像データに対応する光量制御信号ＣＳの信号レベル（入力信号レベルＬＶ０）に加算し、加算した信号レベルに、前記光量差ΔＬＢに応じた係数を乗算する。出力処理部６５１は、このようにして算出された信号レベル（出力信号レベルＬＶ１）を有する光量制御信号ＣＳを光源駆動部６２に出力する。
【００５９】
上述の構成によれば、光走査装置３１３は、伝送路１００の電圧降下と、光源駆動部６２及び光源６１における光の損失とを考慮した光量制御信号ＣＳを生成することができる。このため、より適切な光量の光を感光体ドラム３１１に照射させることが可能となる。
【符号の説明】
【００６０】
３      画像形成部
１０    画像形成装置
３１    画像形成ユニット
３２    定着装置
３３    排紙トレイ
６１    光源
６２    光源駆動部
６３    フィードバック制御部
６４    同期制御部
６５    光量制御部
３１１  感光体ドラム
３１２  帯電装置
３１３  光走査装置
３１４  現像器
３１５  転写ローラー
３１６  クリーニング装置
６５１  出力処理部
６５２  比較処理部
６５３  補正処理部
６５４  記憶部
ＣＳ    光量制御信号
ＦＢ    フィードバック信号
ＤＳ    駆動信号
ＤＶ    検出電圧
ＳＳ    同期信号
【図１】
2019139171.tif 000003
【図２】
2019139171.tif 000004
【図３】
2019139171.tif 000005
【図４】
2019139171.tif 000006